(57)【要約】  本発明の一態様の採光装置は、少なくとも一部に光透過性を有した基材と、前記基材の第１面に設けられた光透過性を有する複数の第１採光部と、前記複数の採光部の間に設けられた光透過性空隙部と、を有する採光部材と、前記採光部材を支持する支持部材と、を備え、前記空隙部に接する採光部の側面の一部が、前記採光部に入射した光を反射する反射面として機能し、前記採光部は、前記反射面で反射した光を前記採光部の延在方向に交差する方向へ分散して射出する特性を有してなり、前記複数の採光部は、上下方向に沿う前記基材の端辺に対して−４５°以上＋４５°以下の間の角度で延在している。
2018203503.tif 000002
【特許請求の範囲】
【請求項１】
少なくとも一部に光透過性を有した基材と、前記基材の第１面に設けられた光透過性を有する複数の第１採光部と、前記複数の採光部の間に設けられた空隙部と、を有する採光部材と、
前記採光部材を支持する支持部材と、を備え、
前記空隙部に接する採光部の側面の一部が、前記採光部に入射した光を反射する反射面として機能し、
前記採光部は、前記反射面で反射した光を前記採光部の延在方向に交差する方向へ分散して射出する特性を有してなり、
前記複数の採光部は上下方向に延在するとともに、前記基材の水平方向に沿う第１端辺に交差する第２端辺に対して−４５°以上＋４５°以下の角度で延在している、採光装置。
【請求項２】
前記複数の採光部は、前記第２端辺に平行している、請求項１に記載の採光装置。
【請求項３】
前記採光部材の光入射側あるいは光射出側のいずれかに設けられ、前記光を等方的あるいは異方的に拡散させる光拡散部材を備えている、請求項１または２に記載の採光装置。
【請求項４】
前記採光部材は、
前記基材の前記第２端辺に対して第１の角度で延在する複数の第１の採光部を有する第１採光領域と、前記基材の前記第２端辺に対して第２の角度で延在する複数の第２の採光部を有する第２採光領域と、を少なくとも有している、請求項１から３のいずれか一項に記載の採光装置。
【請求項５】
前記支持部材が前記採光部材の外周縁を支持する枠状のフレームであり、
前記採光部材の外周縁の一部に設けられた第１取付部と、前記外周縁のうち前記第１取付部に対して所定の角度回転させた位置に設けられた第２取付部と、を有する、請求項１から４のいずれか一項に記載の採光装置。
【請求項６】
一方向に延在する前記基材を有する複数のスラットと、
前記スラットの長手方向を水平方向に向けて前記複数のスラットを連結するとともに前記複数のスラットを上下方向に吊り下げる形態で支持する前記支持部材と、を備え、
前記基材の前記第２端辺が前記スラットの短手方向の端辺に沿う、請求項１から３のいずれか一項に記載の採光装置。
【請求項７】
前記スラットは、前記採光部材の長手方向に垂直な断面において屈曲もしくは湾曲した形状を有し、
前記スラットのうち屈曲部分を介して隣り合う第１部分及び第２部分の少なくとも一方側に前記複数の採光部を有している、請求項６に記載の採光装置。
【請求項８】
前記複数の採光部が前記第１部分から前記第２部分にかけて延在している、請求項６または７に記載の採光装置。
【請求項９】
前記スラットは、前記第１部分に複数の第１の採光部を有し、前記第２部分に前記第１採光部の延在方向と交差する方向に延在する複数の第２の採光部を有している、請求項６または７に記載の採光装置。
【請求項１０】
前記スラットは、前記第１部分に前記複数の採光部を有し、前記第２部分に反射面を有している、請求項６または７に記載の採光装置。
【請求項１１】
一方向へ延在する前記基材を有する複数のスラットと、
前記複数のスラットの長手方向を上下方向に吊り下げる形態で支持する前記支持部材と、を備え、
前記基材の前記第２端辺が前記スラットの短手方向の端辺に沿う、請求項１から３のいずれか一項に記載の採光装置。
【請求項１２】
前記スラットは、長手方向に複数に区分され、区分された各領域に異なる光学機能が付与されている、請求項１１に記載の採光装置。
【請求項１３】
前記基材及び前記複数の第１採光部を有する採光スクリーンと、
前記採光スクリーンを上下方向へ巻き取り及び繰出し自在に支持する巻取機構と、を備え、
前記複数の採光部は、前記採光スクリーンの巻き取り及び繰出し方向に沿う端辺に対して、−４５°以上＋４５°以下の間の角度で延在している、請求項１から３のいずれか一項に記載の採光装置。
【発明の詳細な説明】
【技術分野】
【０００１】
本発明の一態様は、採光装置に関するものである。
本願は、２０１７年５月１日に、日本に出願された特願２０１７−０９１２８１号に基づき優先権を主張し、その内容をここに援用する。
【背景技術】
【０００２】
太陽光を窓から効率よく室内へ導くために、窓よりも室内側、あるいは窓よりも室外側に採光装置が設けられることが知られている。
例えば、特許文献１では、窓の室外側に設置する採光装置が記載されており、天地方向(上下方向)に走るプリズムを持つ構成となっている。採光装置に入射した太陽光をプリズム（採光部）の内部で反射させるもので、太陽光の入射方向に概ね反射させる。この装置を、東の窓の屋外側に設置することで、西に傾いた太陽の光を反射させて東の窓から室内へ採り入れることができる。
【先行技術文献】
【特許文献】
【０００３】
【特許文献１】特許第４３３９５７９号公報
【発明の概要】
【発明が解決しようとする課題】
【０００４】
しかしながら、屋外に設置するタイプは、構造が複雑で、一旦設置すると取り外しや光学機能の切り替えが容易ではない。また、光を入射方向にしか反射させることができないため、設置可能な窓の向きが限定されてしまう。【０００５】
本発明の一つの態様は、上記従来技術の問題点に鑑み成されたものであって、窓の向きに関わらず採光効果を得ることが可能であるとともに、取り外しや光学機能の切り替えが容易な採光装置を提供することを目的とする。
【課題を解決するための手段】
【０００６】
本発明における一態様の採光装置は、少なくとも一部に光透過性を有した基材と、前記基材の第１面に設けられた光透過性を有する複数の第１採光部と、前記複数の採光部の間に設けられた空隙部と、を有する採光部材と、前記採光部材を支持する支持部材と、を備え、前記空隙部に接する採光部の側面の一部が、前記採光部に入射した光を反射する反射面として機能し、前記採光部は、前記反射面で反射した光を前記採光部の延在方向に交差する方向へ分散して射出する特性を有してなり、前記複数の採光部は上下方向に延在するとともに、前記基材の水平方向に沿う第１端辺に交差する第２端辺に対して−４５°以上＋４５°以下の角度で延在している。【０００７】
また、本発明の一態様の採光装置において、前記複数の採光部は、前記第２端辺に平行している構成としてもよい。【０００８】
また、本発明の一態様の採光装置において、前記採光部材の光入射側あるいは光射出側のいずれかに設けられ、前記光を等方的あるいは異方的に拡散させる光拡散部材を備えている構成としてもよい。【０００９】
また、本発明の一態様の採光装置において、前記採光部材は、前記基材の前記第２端辺に対して第１の角度で延在する複数の第１の採光部を有する第１採光領域と、前記基材の前記第２端辺に対して第２の角度で延在する複数の第２の採光部を有する第２採光領域と、を少なくとも有している構成としてもよい。【００１０】
また、本発明の一態様の採光装置において、前記支持部材が前記採光部材の外周縁を支持する枠状のフレームであり、前記採光部材の外周縁の一部に設けられた第１取付部と、前記外周縁のうち前記第１取付部に対して所定の角度回転させた位置に設けられた第２取付部と、を有する構成としてもよい。【００１１】
また、本発明の一態様の採光装置において、一方向に延在する前記基材を有する複数のスラットと、前記スラットの長手方向を水平方向に向けて前記複数のスラットを連結するとともに前記複数のスラットを上下方向に吊り下げる形態で支持する前記支持部材と、を備え、前記基材の前記第２端辺が前記スラットの短手方向の端辺に沿う構成としてもよい。【００１２】
また、本発明の一態様の採光装置において、前記スラットは、前記採光部材の長手方向に垂直な断面において屈曲もしくは湾曲した形状を有し、前記スラットのうち屈曲部分を介して隣り合う第１部分及び第２部分の少なくとも一方側に前記複数の採光部を有している構成としてもよい。【００１３】
また、本発明の一態様の採光装置において、前記複数の採光部が前記第１部分から前記第２部分にかけて延在している構成としてもよい。【００１４】
また、本発明の一態様の採光装置において、前記スラットは、前記第１部分に複数の第１の採光部を有し、前記第２部分に前記第１採光部の延在方向と交差する方向に延在する複数の第２の採光部を有している構成としてもよい。【００１５】
また、本発明の一態様の採光装置において、前記スラットは、前記第１部分に前記複数の採光部を有し、前記第２部分に反射面を有している構成としてもよい。【００１６】
また、本発明の一態様の採光装置において、一方向へ延在する前記基材を有する複数のスラットと、前記複数のスラットの長手方向を上下方向に吊り下げる形態で支持する前記支持部材と、を備え、前記基材の前記第２端辺が前記スラットの短手方向の端辺に沿う構成としてもよい。【００１７】
また、本発明の一態様の採光装置において、前記スラットは、長手方向に複数に区分され、区分された各領域に異なる光学機能が付与されている構成としてもよい。【００１８】
また、本発明の一態様の採光装置において、前記基材及び前記複数の第１採光部を有する採光スクリーンと、前記採光スクリーンを上下方向へ巻き取り及び繰出し自在に支持する巻取機構と、を備え、前記複数の採光部は、前記採光スクリーンの巻き取り及び繰出し方向に沿う端辺に対して、−４５°以上＋４５°以下の間の角度で延在している構成としてもよい。
【発明の効果】
【００１９】
本発明の一態様によれば、窓の向きに関わらず採光効果を得ることが可能であるとともに、取り外しや光学機能の切り替えが容易な採光装置を提供することができる。
【図面の簡単な説明】
【００２０】
【図１】第１実施形態における採光装置１０を窓に設置した状態を室内側から見た正面図。
【図２】第１実施形態における採光装置１０を窓に設置した状態の断面図。
【図３】第１実施形態における採光装置１０の採光パネルを示す斜視図。
【図４】採光パネル１１における複数の採光部１４の延在方向のバリエーションを示す正面図。
【図５Ａ】採光パネル１１における複数の採光部１４の延在方向に交差する方向の断面形状が直角三角形状である場合を示す図。
【図５Ｂ】採光パネル１１における複数の採光部１４の延在方向に交差する方向の断面形状が台形状である場合を示す図。
【図５Ｃ】採光パネル１１における複数の採光部１４の延在方向に交差する方向の断面形状が六角形状である場合を示す図。
【図５Ｄ】採光パネル１１における複数の採光部１４の延在方向に交差する方向の断面形状がマルチテーパー形状である場合を示す図。
【図６】第１実施形態における採光装置１０を天井側から見た上面図。
【図７】第１実施形態における採光装置１０の設置例を示す図であって天井側から見た図。
【図８】第１実施形態における採光装置１０の採光状態を示す斜視図。
【図９】第１実施形態における採光装置１０の他の設置例を示す斜視図。
【図１０】図９に示す採光装置１０の設置例を示す側面図。
【図１１】第２実施形態の採光装置２０の構成（別部材）の一例を示す上面図。
【図１２Ａ】第２実施形態における光拡散部材の一例としてレンチキュラーレンズを示す斜視図。
【図１２Ｂ】第２実施形態における光拡散部材の一例としてマイクロレンズアレイを示す斜視図。
【図１３】第２実施形態における構成例２の採光装置２０Ａを示す上面図。
【図１４Ａ】第２実施形態における構成例３の採光装置２０Ｂ，２０Ｃを示す上面図であって、貼り合わせタイプである場合を示す図。
【図１４Ｂ】第２実施形態における構成例３の採光装置２０Ｂ，２０Ｃを示す上面図であって、一体形成タイプである場合を示す図。
【図１５】図中左側の採光パネル１１と、図中右側のレンチキュラーレンズシート２２Ａと、の組み合わせを示す図。
【図１６】図中左側の採光パネル１１と、図中右側のレンチキュラーレンズシート２２Ａと、の組み合わせを示す図。
【図１７Ａ】採光パネル１１の構成を示す正面図。
【図１７Ｂ】光拡散部材２２としてレンチキュラーレンズシート２２Ａの構成を示す正面図。
【図１８Ａ】採光パネル１１の構成を示す正面図。
【図１８Ｂ】光拡散部材２２の構成（４区分）を示す正面図。
【図１９Ａ】採光パネル１１の構成を示す正面図。
【図１９Ｂ】光拡散部材２２の構成を示す正面図。
【図２０】第２実施形態における光拡散部材２２の他の構成例を示す図。
【図２１Ａ】第２実施形態における光拡散部材２２の他の構成例を示す断面図。
【図２１Ｂ】第２実施形態における光拡散部材２２の他の構成例を示す斜視図。
【図２２】第２実施形態における光拡散部材２２の他の構成例を示す図。
【図２３】第２実施形態における光拡散部材２２の他の構成例を示す図。
【図２４】第３実施形態の採光ブラインド３０の外観を示す図であって、室内側から見た斜視図。
【図２５】第３実施形態の採光ブラインド３０を側方から見た図。
【図２６Ａ】採光スラット３１の構成を示す斜視図。
【図２６Ｂ】図２６ＡのＢ−Ｂ断面図。
【図２６Ｃ】図２６ＡのＣ−Ｃ断面図。
【図２７】採光ブラインド３０の室外側から見た斜視図。
【図２８Ａ】採光ブラインド３０が閉状態の様子を示す断面図。
【図２８Ｂ】採光ブラインド３０が開状態の様子を示す断面図。
【図２９】第３実施形態における採光スラット３９の変形例を示す斜視図。
【図３０】光拡散機能を有した採光スラット３０１の構成を示す断面図。
【図３１】光拡散機能を有した採光スラット３０２の構成を示す断面図。
【図３２】光拡散機能を有した採光スラット３０３の構成を示す断面図。
【図３３】光拡散機能を有した採光スラット３０４の構成を示す断面図。
【図３４】光拡散機能を有した採光スラット３０５の構成を示す断面図。
【図３５】第４実施形態の採光ブラインド４０の外観の一部を示す図であって、屋外側から見た斜視図。
【図３６】第４実施形態の採光スラット４１の構成を示す斜視図。
【図３７】第４実施形態の採光ブラインド４０における採光状態を示す側面図。
【図３８】第５実施形態の採光ブラインド５０の外観の一部を示す図であって、屋外側から見た斜視図。
【図３９】第５実施形態の採光ブラインド５０における採光状態を示す側面図。
【図４０】第５実施形態の変形例としての採光ブラインド５５を示す斜視図。
【図４１】第６実施形態の採光ブラインド６０の外観を示す斜視図。
【図４２Ａ】第６実施形態の採光ブラインド６０の採光スラット６２の構成を示す斜視図。
【図４２Ｂ】第６実施形態の採光スラット６２の変形例を示す斜視図。
【図４３Ａ】第６実施形態の採光ブラインド６０を部屋の東側の窓に設置した室内の様子を天井側から見た第１の図。
【図４３Ｂ】第６実施形態の採光ブラインド６０を部屋の東側の窓に設置した室内の様子を天井側から見た第２の図。
【図４４】第７実施形態の採光ロールスクリーン７０の外観を示す斜視図。
【図４５Ａ】第７実施形態における採光ロールスクリーン７０の使用時の様子を示す第１の断面図。
【図４５Ｂ】第７実施形態における採光ロールスクリーン７０の使用時の様子を示す第２の断面図。
【図４６Ａ】第７実施形態の変形例である採光ロールスクリーン７７の構成と使用時の様子を示す第１の図。
【図４６Ｂ】第７実施形態の変形例である採光ロールスクリーン７７の構成と使用時の様子を示す第２の図。
【発明を実施するための形態】
【００２１】
既存の採光装置には、プリズム（以下、採光部と称す）の延在方向が水平方向に沿ったものが多く、入射した太陽光を室内の天井へ向けて射出することで、天井を照らすことができる。これにより、省エネ照明に重点をおいた効果が得られる。
これに対して、本発明の一態様に係る各採光装置では、採光部の延在方向を上下方向に変更することで水平方向へ光を反射し、室内の横方向へ光を拡げる点に着眼した。
【００２２】
各図に適宜示した３次元直交座標系（ＸＹＺ座標系）において、Ｚ軸方向は、上下方向Ｚとする。Ｘ軸方向およびＹ軸方向は、Ｚ軸方向と直交する水平方向の一方向であり、互いに直交する方向とする。
【００２３】
以下に、本発明に係る採光装置の各実施形態の構成について詳しく説明する。
なお、以下の各図面においては、各構成要素を見やすくするため、構成要素によって寸法の縮尺を異ならせて示すことがある。
【００２４】
[第１実施形態]
以下、本発明の第１実施形態の採光装置１０の構成について説明する。
図１は、第１実施形態における採光装置１０を窓に設置した状態を室内側から見た正面図である。図２は、第１実施形態における採光装置１０を窓に設置した状態の断面図である。図３は、第１実施形態における採光装置１０の採光パネルを示す斜視図である。
図４は、採光パネル１１における複数の採光部１４の延在方向のバリエーションを示す正面図である。図５Ａ〜図５Ｄは、採光パネル１１における複数の採光部１４の延在方向に交差する方向の断面形状のバリエーションを示す図である。図６は、第１実施形態における採光装置１０を天井側から見た上面図である。図７は、第１実施形態における採光装置１０の設置例を示す図であって天井側から見た図である。図８は、第１実施形態における採光装置１０の採光状態を示す斜視図である。図９は、第１実施形態における採光装置１０の他の設置例を示す斜視図である。図１０は、図９に示す採光装置１０の設置例を示す側面図である。
【００２５】
本実施形態の採光装置１０は、例えば、図１及び図２に示すように、室内の天井または窓の上側の壁部１００４等に取り付けられる。採光装置１０は、窓ガラス１００３の少なくとも上部を覆うように配置されている。採光装置１０は、幅方向がＸ方向に平行な方向で、厚み方向がＹ方向と平行な方向で設置される。採光装置１０は、室内側に吊り下げられる状態で設置される。
【００２６】
採光装置１０は、採光パネル（採光部材）１１と、採光パネル１１を支持するフレーム（支持部材）１２と、採光パネル１１をフレーム１２ごと窓の上側の壁部１００４に固定するための固定治具１３と、を備えて構成されている。
【００２７】
採光パネル１１は、図３に示すように、光透過性を有した基材１１Ａと、基材１１Ａの第１面１１ａに設けられた光透過性を有する複数の採光部１４と、複数の採光部１４の間に設けられた空隙部１５と、を有する。採光パネル１１は、空隙部１５に接する各採光部１４の側面１４ａの一部が、採光部１４に入射した光を、延在方向に交差する方向へ反射する反射面として機能する。
【００２８】
採光パネル１１において、複数の採光部１４は、図３に示すように、基材１１Ａの上下方向に沿う端辺１１ｃに沿って延在し、端辺１１ｃに平行している。各採光部１４は、図３に示すように、基材１１ＡのＺ方向に延在し、且つ、基材１１ＡのＸ方向に並んで設けられている。採光部１４は、延在方向に交差する断面形状が二等辺三角形状のプリズム体から構成されている。採光部１４の形状は、断面二等辺三角形状に限られず、図５Ａに示すような断面直角三角形状、図５Ｂに示す断面台形状、図５Ｃに示す断面六角形状あるいは図５Ｄに示すマルチテーパー形状であってもよく、特に限定されない。採光部１４に入射した光は、反射面である側面１４ａにおいて水平方向に屈折（反射）されて室内へ射出される。また、採光パネル１１は、複数の採光部１４を有する微細構造面が室外側に向くように配置されていてもよいし、上記微細構造面が室内側に向くように配置されていてもよい。
【００２９】
また、図３では、１０個の採光部１４のみを示しているが、実際にはより多数の採光部１４が基材１１Ａに設けられている。
【００３０】
また、採光部１４の延在方向においても上下方向に限られず、例えば、図３、図４に示すように、基材１１Ａの端辺１１ｃを基準（０°：上下）として、複数の採光部１４が基材１１Ａのうち、水平方向に沿う端辺（第１端辺）１１ｅに交差する端辺、つまり上下方向に沿う端辺（第２端辺）１１ｃに対して所定の角度で傾斜していてもよい。この場合は、上記端辺１１ｃに対して−４５°以上＋４５°以下の間の角度θで傾斜していることが望ましい。採光部１４の延在方向が略水平方向の場合、採光部１４に入射した光は部屋の上下方向に射出するため、部屋の左右方向を明るくする効果が小さい。これに対して、採光部１４が、上記端辺１１ｃに対して−４５°以上＋４５°以下の間の角度θで傾斜している場合は、採光部１４に入射した光の略左右方向への射出が大部分を占める構成となる。
【００３１】
また、１つの採光パネル１１内に、採光部１４の延在方向が互いに異なる領域が複数存在していてもよい。
【００３２】
基材１１Ａは、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材１１Ａの全光線透過率は、ＪＩＳ  Ｋ７３６１−１の規定で９０％以上が好ましい。これにより、十分な透明性を得ることができる。
【００３３】
採光部１４は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部３４の全光線透過率は、ＪＩＳ  Ｋ７３６１−１の規定で９０％以上が好ましい。これにより、十分な透明性を得ることができる。
【００３４】
また、基材１１Ａと複数の採光部１４とが同じ材料を用いて一体成形されていてもよい。
【００３５】
フレーム１２は、室内側の正面から見て矩形枠形状を呈し、内側に開口１２ａを有している。フレーム１２は、開口１２ａに嵌め込まれた採光パネル１１の周囲を保持する。
フレーム１２には、図１及び図２に示すように一対の固定孔（第１取付部）１２Ｂ，１２Ｂが形成されている。一対の固定孔１２Ｂ，１２Ｂは、固定螺子１３Ｂを螺合あるいは挿通させるための孔であって、フレーム１２の上枠部１２ａ１に形成されている。
【００３６】
固定治具１３は、少なくとも固定螺子１３Ｂを有している。
【００３７】
このような構成の採光装置１０は、窓の上側の壁部１００４に直接螺子止めしてもよいし、例えば、壁部１００４との間に図２に示すような固定板１３Ａを介在させてもよい。
この場合は、例えば、固定板１３Ａを予め設置場所の壁部１００４に取り付けておき、この固定板１３Ａに採光装置１０を螺子止めすることで設置してもよい。あるいは螺子止め以外の方法で設置してもよい。
【００３８】
本実施形態の採光装置１０に太陽光が入射すると、採光パネル１１の複数の採光部１４により、採光部１４の配列方向（水平方向：Ｘ方向）に屈折されて室内へ射出される。採光部１４に入射する位置によって、室内の左右どちらかへ屈折される。採光パネル１１に対して垂直な方向へそのまま直進する光もあるが、入射光の多くが水平方向へ分散されて拡散される。
【００３９】
既存の採光装置の多くは、複数の第１採光部が水平方向に延在する採光パネルを有しており、直射の太陽光が多く入射する窓（例えば北半球（日本）で使用される場合は、南側の窓）に設置されることをメインに構成されている。このため、東側の窓あるいは西側の窓に採光装置を設置した場合は、水平方向に延在する複数の第１採光部によって、採光パネルに入射した光の多くが北側へ向かって射出されてしまい、窓の左右方向（室内の南側あるいは西側）へ向けて光を拡げることは難しかった。また、各第１採光部の延在方向が水平方向とされた構成の場合、入射光を上側へ向けて屈折させる機能を有するため、室内に居る人の目線よりも下側に設置した場合には、天井方向へ向かう光が人の眼に入りグレアになってしまう。
【００４０】
これに対し、本実施形態の採光装置１０によれば、上下方向に延在する複数の採光部１４により、光を水平方向に屈折させることができるので、採光パネル１１に入射した太陽光を部屋の左右方向（横方向）に広げることが可能である。そのため、東側の窓あるいは西側の窓に本実施形態の採光装置１０を設置すれば、上下方向に延在する複数の採光部１４によって、採光パネル１１に入射した光を窓の左右方向（室内の南側あるいは西側）に広げることができる。
【００４１】
このため、建物の窓の向きに関わらず、本実施形態の採光装置１０を設置することができる。例えば、図７に示すように、部屋の東側の窓に採光装置１０を設置した場合は、東から窓に差し込む朝日だけでなく、日中南から差し込む太陽光を効率よく室内に採り入れて、窓の左右方向を明るくすることができる。
また、部屋の西側の窓に採光装置１０を設置した場合は、日中の光だけでなく西日を効率よく室内に採り入れて、窓の左右方向を明るくすることができる。
【００４２】
本実施形態では、図６に示すように、採光パネル１１の微細構造側が窓ガラス１００３に向くように採光装置１０を設置したが、採光パネル１１の微細構造側が室内側へ向くように採光装置１０を設置してもよい。
【００４３】
なお、採光装置１０の設置箇所は上枠部１２ａ１側のみに限られない。例えば、図１に示すように、上枠部１２ａ１に垂直な側枠部１２ａ２のうちのいずれか一方にも、固定孔（第２取付部）１２Ｂ，１２Ｂが設けられていてもよい。これにより、窓ガラス１００３に対して採光装置１０の向きを変えて付け替えることができる。採光パネル１１における各採光部１４の延在方向が水平方向に平行となる向きで、採光装置１０を設置することで、採光パネル１１に入射した光が天井１００１側へ向けて射出されることになる。これにより、省エネ照明を実現できる。このように、建物の窓の向きや季節に応じて、採光装置１０を付け替えて機能の切り替えを行うことができる。さらに、本実施形態の採光装置１０は、構造が簡単で製造しやすく、螺子止めするだけで所定の場所へ設置できる構成のため、取扱いが容易である。
【００４４】
また、本実施形態の採光装置１０では、室内に居る人の目線よりも下側に設置することも可能である。例えば、図８に示すように、採光装置１０を室内に居る人の目線よりも下側の窓に設置した場合、上下方向に延在する複数の採光部１４により、窓の上方から採光装置１０に入射した太陽光は、水平方向に拡散されながら床１００２へ向かって射出される。そのため、グレアにならず、室内に居る人が不快を感じるようなこともなくなる。
【００４５】
採光装置１０は、オフィスや高層階で見られる腰高の窓以外にも設置することが可能である。例えば、図９および図１０に示すように、一般家庭においてよく見られる窓ガラスが床に達した、引き違い窓などに適用することができる。この場合は、例えば、窓ガラスと一緒に採光装置１０をアルミサッシ内に保持させる構成としてもよい。これにより、窓の開閉性を損なうことなく、室内へ太陽光を採り入れることができる。また、図９および図１０においては、引き違い窓のうち室内側の窓ガラス１００３ａに採光装置１０を設けた構成を示しているが、屋外側の窓ガラス１００３ｂにも採光装置１０を設けた構成としてもよい。
【００４６】
［第２実施形態］
次に、本発明の第２実施形態の採光装置２０の構成について説明する。
以下に示す本実施形態の採光装置２０の基本構成は、上記第１実施形態と略同様であるが、光拡散部材を備えた点において異なる。よって、以下の説明では、先の実施形態と異なる構成について詳しく説明し、共通な箇所の説明は省略する。また、説明に用いる各図面において、図１〜図１０と共通の構成要素には同一の符号を付すものとする。
【００４７】
（構成例１）
図１１は、第２実施形態の採光装置２０の構成（別部材）の一例を示す上面図である。
図１２Ａは、第２実施形態における光拡散部材の一例としてレンチキュラーレンズシート２２Ａを示す斜視図である。図１２Ｂは、第２実施形態における光拡散部材の一例としてマイクロレンズアレイシート２２Ｂを示す斜視図である。
【００４８】
図１１に示すように、本実施形態の採光装置２０は、上述した採光パネル１１と、光を拡散させる光拡散部材２２とが同一のフレーム１２に支持されて構成されている。光拡散部材２２は、採光パネル１１の微細構造面１１ａとは反対側の背面１１ｂ側に配置されている。光拡散部材２２は、採光パネル１１に対して光の透過方向へ間隔をおいて配置されている。光拡散部材２２は、微細構造が形成された一面１２２ａ側を、採光パネル１１の背面１１ｂ側に向けた状態で配置されている。
【００４９】
光拡散部材２２は、入射光を等方的あるいは異方的に拡散させる機能を有する。
【００５０】
異方的に光を拡散させる機能を得る場合には、光拡散部材２２として、例えば図１２Ａに示すような、一方向に長さを有する複数の半円レンズ２２ａを有するレンチキュラーレンズシート２２Ａが用いられる。
【００５１】
等方的に光を拡散させる機能を得る場合は、光拡散部材２２として、例えば、図１２Ｂに示すような複数の半球レンズ２２ｂを有するマイクロレンズアレイシート２２Ｂが用いられる。
このような採光装置２０に入射した太陽光は、採光パネル１１において屈折された後、光拡散部材２２において拡散されて室内に射出される。
【００５２】
（構成例２）
図１３は、第２実施形態における構成例２の採光装置２０Ａを示す上面図である。
フレーム１２内における採光パネル１１と光拡散部材２２の配置は、上述した関係に限られない。例えば、各々の微細構造面側を対向させた状態でフレーム１２に保持されていてもよい。図１３に示すように、採光パネル１１の複数の採光部１４が形成された微細構造面１１ａと、光拡散部材２２のレンズ面１２２ａとを対向させた状態でフレーム１２に保持された構成としてもよい。
このような採光装置２０Ａに入射した太陽光は、光拡散部材２２において拡散された後、採光パネル１１において屈折されて室内に射出される。
【００５３】
（構成例３）
図１４Ａ及び図１４Ｂは、第２実施形態における構成例３の採光装置２０Ｂ，２０Ｃを示す上面図であって、図１４Ａは、貼り合わせタイプである場合を示す図であり、図１４Ｂは、一体形成タイプである場合を示す図である。
先の構成例１，２では、別部材の採光パネル１１と光拡散部材２２とを組み合わせた構成となっているが、互いに離間配置した構成に限られず、各々を一体化した構成であってもよい。
【００５４】
例えば、図１４Ａに示す採光装置２０Ｂのように、採光パネル１１と光拡散部材２２とを互いの背面１１ｂ，１２２ｂどうしを貼り合わせて一体化し、この状態でフレーム１２に保持された構成としてもよい。
【００５５】
また、図１４Ｂに示す採光装置２０Ｃのように、光透過性を有する一つの基材１８の一面側に複数の採光部１４からなる微細構造面１１ａを形成するともに、他面側に複数の半円レンズ２２ａあるいは複数の半球レンズ２２ｂからなるレンズ面１２２ａを形成することによって、採光機能及び光拡散機能の両方を備えた構成としてもよい。
このような採光装置２０Ｂに入射した太陽光は、採光パネル１１において屈折された後、光拡散部材２２において拡散されて室内に射出される。
【００５６】
上述した採光装置２０，２０Ａ，２０Ｂ、２０Ｃにおいて、光拡散部材２２として、例えば、等方性光拡散特性を有するマイクロレンズアレイシート２２Ｂを用いる場合には、各半球レンズ２２ｂが採光パネル１１に対向する姿勢であれば、採光パネル１１に対してマイクロレンズアレイシート２２Ｂを上下左右どのような向きで配置してもよい。マイクロレンズアレイシート２２Ｂに入射した光は、その入射角度に関わらず、各半球レンズ２２ｂにおいて等方的に拡散されて、室内の上下左右の広い範囲に射出される。マイクロレンズアレイシート２２Ｂにより光を広く拡散させることができるため、室内における明暗の差を緩和して、より均等に明るくすることができる。
【００５７】
一方、光拡散部材２２として、例えば、異方性光拡散特性を有するレンチキュラーレンズシート２２Ａを用いる場合は、採光パネル１１に対するレンチキュラーレンズシート２２Ａの向きによって得られる効果が違ってくる。
【００５８】
図１５は、図中左側の採光パネル１１と、図中右側のレンチキュラーレンズシート２２Ａと、の組み合わせを示す図であって、採光パネル１１における採光部１４の延在方向と、レンチキュラーレンズシート２２Ａにおける各半球レンズ２２ｂの延在方向とが平行する場合を示す。
【００５９】
例えば、図１５に示すように、レンチキュラーレンズシート２２Ａにおける各半円レンズ２２ａの延在方向が、採光パネル１１の各採光部１４の延在方向と平行する向きで、レンチキュラーレンズシート２２Ａが配置されている場合、レンチキュラーレンズシート２２Ａに入射した光は水平方向へ拡散される。このため、採光パネル１１との相乗効果によって、水平方向へより光が拡散されて、室内の左右方向の広い範囲を明るくすることができる。
【００６０】
図１６は、図中左側の採光パネル１１と、図中右側のレンチキュラーレンズシート２２Ａと、の組み合わせを示す図であって、採光パネル１１における採光部１４の延在方向と、レンチキュラーレンズシート２２Ａにおける各半球レンズ２２ｂの延在方向とが直交する場合を示す。
【００６１】
また、図１６に示すように、レンチキュラーレンズシート２２Ａにおける各半円レンズ２２ａの延在方向が、採光パネル１１の各採光部１４の延在方向と直交する向きで、レンチキュラーレンズシート２２Ａが配置されている場合、レンチキュラーレンズシート２２Ａに入射した光は、各半円レンズ２２ａの延在方向に交差する上下方向へ拡散される。このため、採光パネル１１との相乗効果によって、水平方向及び上下方向の両方へ光が射出されて、室内の上下左右の広い範囲を明るくすることができる。
【００６２】
このように、光拡散部材２２としてレンチキュラーレンズシート２２Ａを用いる場合、採光パネル１１における光の採光方向に対して、レンチキュラーレンズシート２２Ａにおける光の拡散方向を一致させるか、あるいは異ならせるかによって、採光パネル１１に対する光拡散部材２２の配置姿勢を適宜変更することで、得られる光学特性を切り替えることができる。
【００６３】
このように、採光パネル１１と光拡散部材２２とを併用することにより、採光パネル１１を透過した指向性の強い光によるグレアを緩和することができるとともに、所望の場所だけでなくその周辺へ光を送ることができる。
【００６４】
以下に、本実施形態の採光パネル１１の変形例１〜３の構成について述べる。
採光パネル１１により水平方向への光制御が可能な形態であれば、採光パネル１１及び光拡散部材２２の各構成について、特に限定されない。
【００６５】
（変形例１）
図１７Ａ及び図１７Ｂは、第２実施形態における採光パネル１１の変形例１の構成を示す概略図である。図１７Ａは採光パネル１１の構成を示す正面図であり、図１７Ｂは光拡散部材２２としてレンチキュラーレンズシート２２Ａの構成を示す正面図である。図１７Ａに示す採光パネル１１は、上述した構成と同様に、複数の各採光部１４の延在方向が上下方向（Ｚ方向）とされている。
【００６６】
一方、図１７Ｂに示すレンチキュラーレンズシート２２Ａは、半円レンズ２２ａの延在方向が異なる複数の領域を有している。ここでは、半円レンズ２２ａの延在方向がそれぞれ異なる４つの領域Ｒ１ａ〜Ｒ１ｄを有しているが、これに限られない。
【００６７】
第１拡散領域Ｒ１ａ内の複数の半円レンズ２２ａは、レンチキュラーレンズシート２２Ａの端辺２２ｃに平行しており、上下方向（Ｚ方向）へ延在している。
第２拡散領域Ｒ１ｂ内の複数の半円レンズ２２ａは、上記端辺２２ｃに対して所定の角度θで傾斜している。ここでは、端辺２２ｃに対して−４５°以上０°以下の間の角度θで傾斜している。
第３拡散領域Ｒ１ｃ内の複数の半円レンズ２２ａは、上記端辺２２ｃに対して垂直な方向（Ｘ方向）に延在している。
第４拡散領域Ｒ１ｄ内の複数の半円レンズ２２ａは、上記端辺２２ｃに対して０°以上＋４５°以下の間の角度θで傾斜している。
【００６８】
このように、４つの領域Ｒ１ａ〜Ｒ１ｄごとに異なる光の拡散特性を有した光拡散部材２２を組み合わせてもよい。
【００６９】
（変形例２）
図１８Ａ及び図１８Ｂは、第２実施形態における採光パネル１１の変形例２の構成を示す概略図である。
図１８Ａは採光パネル１１の構成を示す正面図であり、図１８Ｂは光拡散部材２２の構成を示す正面図である。
図１８Ａに示す採光パネル１１は、基材１１Ａの第１面１１ａに、採光部１４，１４Ａ，１４Ｂの延在方向が異なる複数の領域を有している。ここでは、採光部１４，１４Ａ，１４Ｂの延在方向がそれぞれ異なる３つの領域Ｒ２ａ，Ｒ２ｂ，Ｒ２ｃを有しているが、領域の数はこれに限られない。
【００７０】
第１採光領域Ｒ２ａ内の複数の第１の採光部１４Ａは、採光パネル１１の端辺１１ｃに対して所定の角度θで傾斜している。ここでは、基材１１Ａの水平方向に沿う端辺（第１端辺）１１ｅに交差する端辺１１ｃに対して、０°以上＋４５°以下の角度θで傾斜している。
第２採光領域Ｒ２ｂ内の複数の採光部１４は、上記端辺１１ｃに対して平行（０°）し、上下方向へ延在している。
第３採光領域Ｒ２ｃ内の複数の第２の採光部１４Ｂは、上記端辺１１ｃに対して−４５°以上０°以下の角度θで傾斜している。
このように、３つの領域Ｒ２ａ〜Ｒ２ｃごとに光の採光特性が異なる採光パネル１１と、４つの領域Ｒ１ａ〜Ｒ１ｄごとに異なる光の拡散特性を有した光拡散部材２２と、を組み合わせてもよい。
【００７１】
（変形例３）
図１９Ａ及び図１９Ｂは、第２実施形態における採光パネル１１の変形例３の構成を示す概略図である。
図１９Ａは採光パネル１１の構成を示す正面図であり、図１９Ｂは光拡散部材２２の構成を示す正面図である。
図１９Ａに示す採光パネル１１は、複数の採光領域Ｒ２ｄと、複数の透明領域ＳＰとを有する。複数の採光領域Ｒ２ｄ内の複数の採光部１４は、採光パネル１１の端辺１１ｃに沿って延在している。また、各採光領域Ｒ２ｄは、互いの採光部１４が平行しているとともに、採光部１４の延在方向に交差する方向へ間隔をおいて配置されている。透明領域ＳＰは、隣り合う採光パネル１１の間に存在する。採光領域Ｒ２ｄ及び透明領域ＳＰは、Ｘ方向へ交互に存在する。隣り合う採光領域Ｒ２ｄどうしの間隔は、採光領域Ｒ２ｄの幅方向（Ｘ方向）の長さよりも小さい。透明領域ＳＰは、光透過性を有する樹脂材料から構成されていてもよいし、採光部１４が間引きされた領域であってもよい。
【００７２】
図１９Ｂに示す光拡散部材２２（レンチキュラーレンズシート２２Ａ）は、２つの光拡散領域Ｒ１ｅと、これらの間に存在する透明領域ＳＰとを有している。透明領域ＳＰは、光透過性を有する樹脂材料から構成されていてもよいし、間引きされた領域であってもよい。
図１９Ａに示す採光パネル１１と、図１９Ｂに示す光拡散部材２２とは、これらを組み合わせたときに、採光パネル１１側の透明領域ＳＰと、光拡散部材２２における透明領域ＳＰとは、光の透過方向で重なることのない構成となっている。
【００７３】
このように、採光パネル１１及び光拡散部材２２の各面内において、採光部１４、半円レンズ２２ａが存在しない領域が設けられていてもよい。
【００７４】
このように、採光部１４が存在しない透明領域ＳＰを有する採光パネル１１と、半円レンズ２２ａが存在しない透明領域ＳＰを有する光拡散部材２２と、を組み合わせてもよい。
【００７５】
以上述べた変形例１〜３の構成のように、採光パネル１１及び光拡散部材２２において各面内において、光の射出特性が異なる領域を複数備えることにより、採光装置２０Ａから射出される光のグレアや輝度を低減することができる。また、設置する窓の向きや、太陽の高度等に応じて、最適な室内環境を提供することができる。
【００７６】
図２０〜図２３は、第２実施形態における光拡散部材２２の他の構成例を示す図である。
光拡散部材２２としては、上述したレンチキュラーレンズシート２２Ａ及びマイクロレンズアレイシート２２Ｂに限られず、その他の光拡散部材を採用してもよい。
【００７７】
例えば、上記以外に、異方性光拡散特性を有する光拡散部材２２として、図２０に示すように、透過性基板２３の一面側に複数のプリズム２４を有した異方性拡散シートを光拡散部材２２として用いてもよい。また、図２１Ａ及び図２１Ｂに示すように、一方向に延在するストライプ状の複数の突起部２５が延在方向に交差する方向に並ぶ、いわゆる疑似ストライプ構造の異方性光拡散シートを光拡散部材２２として用いてもよい。複数のプリズム２４やストライプ状の複数の突起部２５は、面内において一方向に延在しているため、入射した光を、プリズム２４及び突起部２５の延在方向と直交する方向に拡散させることができる。
【００７８】
また、図２２に示すように、例えば、光透過性の樹脂からなる樹脂層２６内に、多数の針状のフィラー２７が含まれる異方性拡散フィルムを光拡散部材２２として用いてもよい。
多数のフィラー２７は、樹脂層２６内において一方向に配向しているため、樹脂層２６内に入射した光を、フィラー２７の配向方向と直交する方向に拡散（散乱）させることができる。
【００７９】
また、等方性光拡散特性を有する光拡散部材２２として、図２３に示すように、光透過性の基材２８の片面に、バインダー樹脂内に多数の拡散ビーズ２９ａ等が分散されてなる微細構造層２９が貼り合わされてなる光拡散シート等を用いてもよい。
【００８０】
また、採光装置２０として、採光パネル１１及び光拡散部材２２以外に、他の光学機能を有する部材を組み合わせた構成としてもよい。他の光学機能部材として、例えば、紫外線カットフィルム、赤外線カットフィルム、様々なデザインが施されたデザインシート等が挙げられる。
【００８１】
以下の各実施形態では、本発明に係る採光装置の一実施形態として、採光ブラインドの構成について説明する。
【００８２】
［第３実施形態］
次に、本発明の第３実施形態の採光ブラインド３０の構成について説明する。
図２４は、第３実施形態の採光ブラインド３０の外観を示す図であって、室内側から見た斜視図である。図２４における採光ブラインド３０の上下方向をＺ方向、左右方向をＸ方向、前後方向をＹ方向とする。図２５は、第３実施形態の採光ブラインド３０を側方から見た図である。
【００８３】
本実施形態の採光ブラインド（採光装置）３０は、図２４及び図２５に示すように、水平方向（Ｘ方向）に延在するとともに上下方向（Ｚ方向）に間隔を空けて平行に並ぶ複数の採光スラット（採光部材、スラット）３１と、複数の採光スラット３１を上下方向に吊り下げ自在に支持する支持機構（支持部材）３２と、を主として構成されている。支持機構３２は、複数の採光スラット３１を昇降自在及び傾動自在に支持している。
【００８４】
図２６Ａは、採光スラット３１の構成を示す斜視図である。図２６Ｂは、図２６ＡのＢ−Ｂ断面図である。図２６Ｃは、図２６ＡのＣ−Ｃ断面図である。
採光スラット３１は、図２６Ａに示すように、長手方向に垂直な断面において屈曲または湾曲した形状を有する。図２７は、採光ブラインド３０の室外側から見た斜視図である。図２８Ａは、採光ブラインド３０が閉状態の様子を示す断面図である。図２８Ｂは、採光ブラインド３０が開状態の様子を示す断面図である。
【００８５】
採光スラット３１は、図２６Ａ、図２６Ｂ、図２６Ｃに示すように、長手方向に交差する断面において屈曲または湾曲した形状を有する基材３３と、基材３３の第１面３３ａに設けられた光透過性を有する複数の採光部３４と、複数の採光部３４の間に設けられた空隙部３５と、を備える。
【００８６】
基材３３は、第１部分３３Ａと第２部分３３Ｂとを有し、これら第１部分３３Ａと第２部分３３Ｂの境界において長手方向に平行な中心軸（屈曲部分）Ｌに沿って折り曲げられている。第１部分３３Ａと第２部分３３Ｂとのなす角度θは、第１面３３ａに形成される複数の採光部３４の形状等に応じて適宜設定される。また、基材３３の形状は上述した形状に限られず、中心軸以外で屈曲した構成、例えば、断面非対称形状でも良い。
【００８７】
複数の採光部１４は、図２６Ａ、図２６Ｂ、図２６Ｃに示すように、基材３３の第１面３３ａ上に形成されている。複数の採光部３４は、基材３３の第１部分３３Ａ及び第２部分３３Ｂに亘って形成されており、基材３３の短手方向（Ｙ方向）に沿う端辺（第２端辺）３３ｃに沿って延在している。各採光部３４は、基材３３の長手方向（Ｘ方向：水平方向）に沿う端辺（第１端辺）３３ｅに交差する端辺３３ｃに対して、０°の角度をなす。
つまり、複数の採光部３４は、基材３３の端辺３３ｃに平行している。複数の採光部３４は、基材３３の長手方向（Ｘ方向）に平行に並んで形成されている。
【００８８】
図２６Ｂでは、採光部３４が断面二等辺三角形状を呈しているが、この形状に限られない。先の実施形態で述べたように、断面台形状、断面六角形状、あるいはマルチテーパー形状であってもよく、特に限定されない。
【００８９】
支持機構３２は、上下方向に平行に並ぶ複数のラダーコード（不図示）と、各ラダーコードの上端側を支持する固定ボックス３６と、各ラダーコードの下端側に取り付けられる昇降バー３７と、昇降バー３７の昇降操作及び各採光スラット３１の傾動操作を行う昇降・傾動操作部３８を備えている。
【００９０】
このような構成の採光ブラインド３０は、窓の上部から吊り下げられた状態で取り付けられ、複数の採光スラット３１の微細構造面側が窓ガラスに対向した姿勢となる。
本実施形態の採光ブラインド３０では、図２７に示したように、採光スラット３１の長手方向に対して略直交する方向に採光部３４が延在している。そのため、採光ブラインド３０に太陽光が入射すると、採光スラット３１における基材３３の第１部分３３Ａ及び第２部分３３Ｂにおいて、採光部３４の延在方向に交差する方向、つまり採光スラット３１の長手方向（水平方向）に屈折されて室内へ射出される。
【００９１】
（閉状態）
図２８Ａに示すように、採光ブラインド３０を閉状態にするには、図２４に示した昇降・傾動操作部３８を操作して、基材３３の第１部分３３Ａが垂直に近づくように複数の採光スラット３１を起立させる。
【００９２】
閉状態の採光ブラインド３０に入射した太陽光のうち、採光スラット３１のうち基材３３の第２部分３３Ｂに入射した光は、基材３３の長手方向に並ぶ複数の採光部３４の各々によって水平方向へ屈折され、水平方向へ拡散された状態となる。採光スラット３１から射出された光は、室内の床へ向かって射出される。
【００９３】
一方、採光スラット３１のうち基材３３の第１部分３３Ａに入射した光は、基材３３の長手方向に並ぶ複数の採光部３４の各々によって水平方向へ屈曲されて拡散された後、さらに、上下方向で下方に位置する他の採光スラット３１における基材３３の第２部分３３Ｂに入射する。上位側の採光スラット３１から射出された光は、下位側の採光スラット３１における複数の採光部３４の各々によってさらに水平方向へ屈曲されて拡散される。
よって、室内のプライバシーを確保するために採光ブラインド３０を閉状態にした場合でも、効率よく外光を室内へ採り入れることができる。
【００９４】
（開状態）
図２８Ｂに示すように、採光ブラインド３０を開状態にするには、図２４に示した昇降・傾動操作部３８を操作して、採光スラット３１の傾斜が水平に近づくように傾倒させ、上下方向に並ぶ採光スラット３１どうしの間の隙間を拡げる。
【００９５】
開状態の採光ブラインド３０の場合、殆どの太陽光が、採光スラット３１における基材３３の第１部分３３Ａに入射する。基材３３の第１部分３３Ａに入射した光は、基材３３の長手方向に並ぶ複数の採光部３４の各々によって水平方向へ屈折され、水平方向へ拡散された状態となる。
【００９６】
上位側の採光スラット３１の第１部分３３Ａから射出された光は、そのまま室内の床へ向かって射出されるが、下位側の採光スラット３１の第２部分３３Ｂに入射する。
下位側の採光スラット３１の第２部分３３Ｂに入射した光は、基材３３の長手方向に並ぶ複数の採光部３４の各々によって水平方向へさらに屈折され、より拡散された状態で室内へ射出される。
【００９７】
本実施形態の採光ブラインド３０によれば、窓の上位から入射する太陽光を、窓の左右方向へ広げながら、室内の床へ向かって射出することができる。複数の採光スラット３１のうち、上位側の採光スラット３１の第１部分３３Ａに入射した光は、下位側の採光スラット３１の第２部分３３Ｂに入射することで二重に拡散される。採光スラット３１のうち、基材３３の第２部分３３Ｂには、上位側の採光スラット３１から射出された拡散光と、窓ガラスを透過した直射光とが入射する。これにより、射出光の拡散状態が複雑になることでグレアが抑制されるとともに、室内の左右方向へより光を拡げることができる。
【００９８】
なお、本実施形態では、複数の採光部３４が、基材３３の第１面３３ａ側に複数の採光部３４を有する構成となっているが、第２面３３ｂ側に有していてもよい。
【００９９】
（採光スラットの変形例）
図２９は、第３実施形態における採光スラット３９の変形例を示す斜視図である。
図２９に示す採光スラット３９の各採光部３４は、基材３３の短手方向に沿う端辺３３ｃに対して所定の角度θで傾斜している。この場合、採光部３４は、上記端辺３３ｃに対して−４５°以上＋４５°以下の間の角度θで傾斜していることが望ましい。
【０１００】
＜光拡散機能を有する構成＞
次に、採光ブラインド３０の各採光スラット３０１に対して光拡散機能を有する構成について説明する。
（採光スラットの構成例１）
図３０は、光拡散機能を有した採光スラット３０１の構成を示す断面図である。
図３０に示す採光スラット３０１のように、基材３３のうち、複数の採光部３４が設けられた第１面３３ａとは反対側の第２面３３ｂ側に、光拡散シート３０１Ａが設けられていてもよい。光拡散シート３０１Ａとしては、光を等方的あるいは異方的に拡散できる機能を有していれば良く、図１４Ａ及び図１４Ｂに示すように貼り合わせタイプまたは一体形成タイプなど、その構成は特に問わない。光拡散シート３０１Ａとして、等方性拡散特性を有する部材を用いるか、異方性拡散特性を有する部材を用いるかは、採光ブラインド３０を設置する窓の向きや太陽高度等に応じて、適宜設定される。
【０１０１】
このような採光スラット３０１に入射した光は、複数の採光部３４において水平方向へ屈曲された後、光拡散シート３０１Ａにおいて等方的あるいは異方的に拡散されて射出される。
【０１０２】
（採光スラットの構成例２）
図３１は、光拡散機能を有した採光スラット３０２の構成を示す断面図である。
図３１に示す採光スラット３０２のように、基材３３の一部に採光機能及び光拡散機能が付与された構成としてもよい。採光スラット３０２は、基材３３のうち、第１部分３３Ａに採光機能及び光拡散機能が付与され、第２部分３３Ｂが光透過機能を有している。第２部分３３Ｂには、採光機能及び光拡散機能が付与されておらず、光透過機能のみである。
【０１０３】
具体的には、基材３３の第１部分３３Ａにおける第１面３３ａ側に、光拡散シート３０２Ａが設けられている。複数の採光部３４は、第１部分３３Ａの第２面３３ｂ側に設けられている。基材３３の第２部分３３Ｂは、第１面３３ａ及び第２面３３ｂがそれぞれ露出している。
【０１０４】
このような採光スラット３０２のうち、基材３３の第２部分３３Ｂに入射した光は、入射角度を維持したまま第２部分３３Ｂを透過する。基材３３の第１部分３３Ａに入射した光は、光拡散シート３０２Ａにおいて等方的あるいは異方的に拡散された後、複数の採光部３４において水平方向へ屈折されて射出する。
【０１０５】
（採光スラットの構成例３）
図３２は、光拡散機能を有した採光スラット３０３の構成を示す断面図である。
図３２に示す採光スラット３０３のように、基材３３の短手方向に採光機能及び光拡散機能が付与されていてもよい。
採光スラット３０３は、基材３３における第１面３３ａの第１部分３３Ａ側に複数の採光部３４を有し、第２部分３３Ｂ側に光拡散シート３０３Ａを有している。
【０１０６】
このような採光スラット３０３のうち、基材３３の第２部分３３Ｂ側に入射した光は、光拡散シート３０３Ａにおいて等方的あるいは異方的に拡散された後、第２部分３３Ｂを透過する。基材３３の第１部分３３Ａ側に入射した光は、複数の採光部３４において水平方向へ屈折された後、第１部分３３Ａを透過する。
【０１０７】
（採光スラットの構成例４）
図３３は、光拡散機能を有した採光スラット３０４の構成を示す断面図である。
図３３に示す採光スラット３０４のように、採光スラット３０４の一部に採光機能及び光拡散機能が付与された構成としてもよい。
【０１０８】
採光スラット３０４は、長手方向に交差する断面において屈曲または湾曲した形状を有するカバー部材４と、一面側に複数の採光部３４を有する採光シート５と、光拡散シート６と、を備えて構成されている。採光シート５には、短手方向に延在する採光部３４が長手方向に複数並んで設けられている。光拡散シート６は、光拡散機能を有するものであれば、その構成は特に問わない。
【０１０９】
カバー部材４の第１部分４Ａには、採光シート５及び光拡散シート６を保持する保持溝７が形成されている。第２部分４Ｂは、先端側（短手方向一端側）へ向かって先細りの形状とされている。採光スラット３０４は、上述したようなカバー部材４に採光シート５及び光拡散シート６を組み込んで構成されている。カバー部材４は、採光シート５及び光拡散シート６を保護するとともに、採光シート５及び光拡散シート６の微細構造面に対する防塵機能も果たす。
【０１１０】
このような採光スラット３０４に入射した太陽光は、カバー部材４の第１部分４Ａを透過した後、採光シート５及び光拡散シート６を連続して透過し、拡散された状態で射出される。
【０１１１】
（採光スラットの構成例５）
図３４は、光拡散機能を有した採光スラット３０５の構成を示す断面図である。
図３４に示す採光スラット３０５のように、長手方向に交差する断面が屈曲あるいは湾曲していない構成としてもよい。
基材８は、一方向に長さを有する平面板状であり、長手方向に交差する断面が矩形状をなす。基材８には、第１面８ａ側に採光シート５が設けられ、第２面８ｂ側に光拡散シート６が設けられている。
【０１１２】
このような採光スラット３０５に入射した太陽光は、まず採光シート５において水平方向へ屈折された後、基材８を透過して、光拡散シート６において等方的あるいは異方的に拡散されて射出される。
【０１１３】
上述した変形例２〜６に示す構成において、基材の第１面及び第２面のどちらに採光機能部分及び光拡散部分を付与するかは、適宜設定される。採光スラットのうち採光機能部分が屋外側、光拡散機能部分が室内側に設けられた構成に関わらず、光拡散機能部分を屋外側、光拡散機能部分を室内側に設けた構成としてもよい。また、採光機能部分及び光拡散機能部分の各微細構造面側を、屋外側及び室内側のどちらに向けて配置するかについても特に制約はなく、適宜設定される。
【０１１４】
［第４実施形態］
次に、本発明の第４実施形態の採光ブラインド４０の構成について説明する。
図３５は、第４実施形態の採光ブラインド４０の外観の一部を示す図であって、屋外側から見た斜視図である。図３６は、第４実施形態の採光スラット４１の構成を示す斜視図である。図３７は、第４実施形態の採光ブラインド４０における採光状態を示す側面図である。
【０１１５】
本実施形態の採光ブラインド（採光装置）４０は、図３５に示すように、上下方向に間隔を空けて平行に並ぶ採光スラット(採光部材、スラット)４１を備えている。本実施形態の採光スラット４１は、２つの採光機能（左右拡散機能・上下拡散機能）を有する。
【０１１６】
採光スラット４１は、図３６に示すように、基材３３と、基材３３の第１面３３ａ側に設けられた複数の第１採光部３４Ａ及び複数の第２採光部３４Ｂと、を備えて構成されている。
複数の第１採光部３４Ａは、基材３３の第１部分３３Ａのみに設けられている。第１採光部３４Ａは、第１部分３３Ａの短手方向の端辺３３ｃに沿って延在し、第１部分３３Ａ（基材３３）の長手方向に平行に並んで設けられている。
複数の第２採光部３４Ｂは、基材３３の第２部分３３Ｂのみに設けられている。第２採光部３４Ｂは、第２部分３３Ｂ（基材３３）の長手方向の端辺３３ｄに沿って延在し、第２部分３３Ｂの短手方向に平行に並んで設けられている。
【０１１７】
このような構成の採光ブラインド４０では、図３７に示すように、採光スラット４１の第１部分３３Ａ及び第２部分３３Ｂのどちらに入射するかによって採光された光の射出方向が異なる。
【０１１８】
図３７に示すように、採光スラット４１のうち、基材３３の第１部分３３Ａに入射した光は、複数の第１採光部３４Ａにおいて水平方向へ屈折されて室内の床へ向かって射出される。
【０１１９】
太陽光の高度によっては、上位側の採光スラット４１の第１部分３３Ａに入射した光が、第１採光部３４Ａにおいて水平方向へ拡散された後、下位側の採光スラット４１の第２部分３３Ｂに入射する。下位の採光スラット４１の第２部分３３Ｂに入射した光は、基材３３の長手方向に延在する複数の第２採光部３４Ｂによって上方へ向かって屈折され、室内の天井へ向かって射出される。
【０１２０】
また、太陽光が、各採光スラット４１の第２採光部３４Ｂに直接入射して上方へ向かって射出されることもある。
【０１２１】
本実施形態の採光ブラインド４０によれば、１つの採光スラット４１に、水平方向へ光を拡散させる機能と、上下方向へ光を屈折させる機能と、が付与されているため、室内の左右方向だけでなく室内の天井方向に光を拡げることができる。これにより、照明の代わりにすることができ、室内全体を万遍なく明るくすることができる。
【０１２２】
［第５実施形態］
次に、本発明の第５実施形態の採光ブラインド５０の構成について説明する。
図３８は、第５実施形態の採光ブラインド５０の外観の一部を示す図であって、屋外側から見た斜視図である。図３９は、第５実施形態の採光ブラインド５０における採光状態を示す側面図である。
【０１２３】
本実施形態の採光ブラインド（採光装置）５０は、図３８に示すように、上下方向に間隔を空けて平行に並ぶ採光スラット（採光部材、スラット）５１を備えている。本実施形態の採光スラット５１は、２つの光学機能（採光機能及び反射機能）を有する。
【０１２４】
採光スラット５１は、図３８に示すように、基材３３の第１部分３３Ａに複数の採光部３４を有し、第２部分３３Ｂに反射面５２を有して構成されている。
【０１２５】
複数の採光部３４は、基材３３の第１部分３３Ａに設けられている。複数の採光部３４は、基材３３の短手方向の端辺３３ｃに延在するとともに、基材３３の長手方向に平行に並んで設けられている。
【０１２６】
反射面５２は、例えば、基材３３の第２部分３３Ｂの第１面３３ａ側を覆うようにして設けられた反射シートなどを用いて形成される。反射シートは、金属などの高反射性を有する材料からなる。あるいは、第２部分３３Ｂの第１面３３ａ側を白色に着色することによって反射面５２を形成してもよい。また、基材３３のうち、第２部分３３Ｂを金属材料で形成することによって反射面５２を得るようにしてもよい。
【０１２７】
このような採光ブラインド５０では、図３９に示すように、採光スラット５１のうち、基材３３の第１部分３３Ａに入射した光は、複数の採光部３４によって水平方向に屈折された後、下位側の採光スラット５１に入射する。上位側の採光スラット５１から射出された光が、下位側の採光スラット５１の第２部分３３Ｂに入射すると、反射面５２により上方へ向けて反射される。反射された光は、室内の天井方向へ向かい、天井を明るく照らすことができる。
【０１２８】
なお、反射面５２は、高い反射性を有していることに限らない。例えば、一部の光を反射させるとともに残りの光を透過させる半透過反射機能を有していてもよい。
【０１２９】
また、採光ブラインド５０を構成する採光スラット５１の全てが高い反射性を有している必要はない。例えば、採光ブラインド５０のうち、上位側に位置する複数の採光スラット５１の反射面５２は高い反射性を有するものとし、下位側に位置する複数の採光スラット５１の反射面５２は上位側の採光スラット５１に比べて低い反射性を有するものとしてもよい。
【０１３０】
これにより、室内に居る人の目線よりも上方に位置する採光スラット５１において反射された光によって天井を明るく照らす効果が得られるとともに、室内に居る人の目線よりも下方に位置する採光スラット５１において反射された光が人の眼に入ってまぶしく感じてしまうのを抑えることができる。
【０１３１】
本実施形態では、採光スラット５１における基材３３の第２部分３３Ｂに高反射性を付与した構成となっているが、第２部分３３Ｂに他の光学機能が付与されていてもよい。例えば、第２部分３３Ｂが光拡散機能や遮光機能、あるいは光透過機能を有していてもよい。
【０１３２】
（変形例）
図４０は、第５実施形態の変形例としての採光ブラインド５５を示す斜視図である。
図４０に示す採光ブラインド５５のように、光学機能スラット５６が部分的に混在していてもよい。
採光ブラインド５５は、上下方向において、上位側及び下位側のそれぞれに採光領域５５Ａ，５５Ａが存在するとともに、これら一対の採光領域５５Ａ，５５Ａの間に光学機能領域５５Ｂが存在する構成となっている。
【０１３３】
採光領域５５Ａは、複数の採光スラット５１からなる。
光学機能領域５５Ｂは、複数の光学機能スラット５６からなる。光学機能スラット５６としては、例えば、遮光性、光拡散性、あるいは減光特性を有しているスラットが用いられる。遮光性のスラットには、ブラインド用のスラットとして一般的に使用されているものであればよく、例えば、アルミニウムなどの金属材料、木製、樹脂製のものを挙げることができる。また、表面に塗装等を施したものを挙げることができる。光拡散性を有するスラットには、光を等方的あるいは異方的に拡散させる構成のスラットを用いることができる。また、減光特性を有するスラットには、例えば、任意の色で着色されているが、光を透過させるスラットが好ましい。
【０１３４】
採光ブラインド５５における光学機能領域５５Ｂの位置は特に問わないが、例えば、室内に居る人の目線の高さに合わせて、採光ブラインド５５内における光学機能領域５５Ｂの位置を設定することが好ましい。
これにより、室内に居る人の視線に過度はグレアが入ることもなく、快適な室内環境を得ることができる。さらに、屋外から室内を覗き見される心配もなく、室内に居る人のプライバシーも確保される。
【０１３５】
なお、光学機能スラット５６としては、スラット全体で遮光性、光拡散性、あるいは減光特性を有するものであればよく、例えば、光透過性を有する基材の一面全体に光学機能シートを貼り合わせたものであってもよい。
【０１３６】
また、採光ブラインド５０として、先に述べた第３実施形態〜第５実施形態の各々の採光スラットのそれぞれを備えた構成としてもよい。また、採光ブラインド５５における採光領域５５Ａ及び光学機能領域５５Ｂの配置位置や各領域の大きさ等についても特に問わない。
【０１３７】
［第６実施形態］
次に、本発明の第６実施形態の採光ブラインド６０の構成について説明する。
図４１は、第６実施形態の採光ブラインド６０の外観を示す斜視図である。
図４１に示すように、本実施形態の採光ブラインド６０は、縦型のブラインドである。
先に述べた第３〜第５実施形態の採光ブラインドと比較して、複数の採光スラットが長手方向を上下方向に平行にした状態で吊り下げされている点が異なる。
【０１３８】
採光ブラインド（採光装置）６０は、窓枠の上側に位置し、水平方向に延びるレール部６１と、レール部６１から吊り下げられた短冊状の複数の採光スラット（採光部材、スラット）６２と、を備えている。
【０１３９】
レール部６１は、内部に傾動機構（不図示）を有している。傾動機構は、採光スラット６２をその短手方向に傾動させる機構である。
【０１４０】
採光スラット６２は、長手方向に区分される複数の光学領域を有している。本実施形態では、採光スラット６２は、採光領域６２Ａと透過領域６２Ｂとに二分される。
採光領域６２Ａは、採光スラット６２の長手方向中ほどから上下方向上位側に位置する。採光領域６２Ａは、室外から入射した太陽光を室内の左右方向に向けて射出する。
透過領域６２Ｂは、採光スラット６２の長手方向中ほどから上下方向下位側に位置する。透過領域６２Ｂは、室外から入射した太陽光を透過させて室内の床へ向けて射出する。
【０１４１】
（採光スラット）
図４２Ａは、第６実施形態の採光ブラインド６０の採光スラット６２の構成を示す斜視図である。図４２Ｂは、第６実施形態の採光スラット６２の変形例を示す斜視図である。
採光スラット６２は、一方向に長さを有する板状の光透過性の基材６３と、基材６３の第１面６３ａ側のうち採光領域６２Ａに設けられた複数の採光部４２と、を有している。
複数の採光部４２は、第１面６２ａにおける採光領域６２Ａ内に設けられている。採光部４２は、図４２Ａに示すように、基材６３の長手方向に沿って延在するとともに、基材６３の短手方向に複数並んで設けられている。あるいは、図４２Ｂに示すように、基材６３の短手方向（水平方向）に沿う端辺（第１端辺）６３ｅに交差する端辺（第２端辺）６３ｃに対して所定の角度θで傾斜していてもよい。この場合、端辺６３ｃに対する採光部４２の傾斜角度を−４５°以上＋４５°以下の間で設定する。
【０１４２】
基材６３の第１面６３ａ側のうち透過領域６２Ｂには何も設けられておらず、第１面６３ａが露出している。ここで、採光スラット６２の採光領域６２Ａと透過領域６２Ｂとが異なる基材から構成されていてもよい。一面側に複数の採光部４２を有した基材と、平面板状の基材との長手方向をそれぞれ突き合わせた状態で貼り合わせることで採光スラット６２が構成されていてもよい。
【０１４３】
上記構成の採光スラット６２は、長手方向一端側の上辺６２ｃの中央部分に回転軸６４を有する。各採光スラット６２は、回転軸６４を介して上記したレール部６１に接続されている。複数の採光スラット６２は、レール部６１内に設けられた傾動機構により、回転軸６４を中心に傾動する。これにより、各採光スラット６２は、基材６３の第１面６３ａ側が太陽の動きに追従して太陽の方位を向くように、一斉に傾動する。複数の採光スラット６２は、レール部６１に沿って移動することで、展開あるいは収納される。
【０１４４】
図４３Ａ及び図４３Ｂは、第６実施形態の採光ブラインド６０を部屋の東側の窓に設置した室内の様子を天井側から見た図である。図４３Ａは半開状態、図４３Ｂは全閉状態を示す。
【０１４５】
図４３Ａに示すように、東側の窓に設置された採光ブラインド６０を半開状態とすることで、南東あるいは南から入射してきた太陽光が各採光スラット６２の採光領域６２Ａにおいて屈折され、室内の北側へ向けて射出される。北南方向に並ぶ複数の採光スラット６２の各々から屈折された光が射出されるため、室内の北側へ向かう光が水平方向へ拡がり、室内の北側を明るく照らすことができる。また、採光ブラインド６０のうち、各採光スラット６２の透過領域６２Ｂに入射した光は、そのまま室内の床へ向かって射出される。これにより、窓近傍の床面上を明るく照らすことができる。
【０１４６】
図４３Ｂに示すように、東側の窓に設置された採光ブラインド６０を全閉状態とすることで、南東あるいは南から入射してきた太陽光が各採光スラット６２の採光領域６２Ａにおいて屈折され、室内の西側へ向けて射出される。複数の採光スラット６２の各々により、室内の西側へ向かうが水平方向へ拡がるため、室内の西側を明るく照らすことができる。全閉状態の場合も、採光スラット６２の透過領域６２Ｂに入射した光は、そのまま室内の床へ向かって射出され、窓近傍の床面上を明るく照らすことができる。
【０１４７】
採光ブラインド６０を室内の東側の窓に設置した場合は、部屋の北側、南側、西側のうち、明るくしたい箇所に向けて光が射出されるように、各採光スラット６２の傾斜角度を変化させる。
【０１４８】
ここでは、本実施形態の採光ブラインド６０を室内の東側の窓に設置した例について述べたが、他の方位の窓に設置してもよい。
【０１４９】
本実施形態の縦型の採光ブラインド６０によれば、採光スラット６２の傾動（ＸＹ面内での回転）によって室内へ採光される光の射出角度を制御することができる。これにより、室内において明るくしたい場所へ向けて効率よく光を射出させることができる。
【０１５０】
なお、採光スラット６２の光透過機能（透過領域６２Ｂ）に代えて、光拡散機能、遮光機能、あるいはその他光学機能を付与してもよい。
また、本実施形態の採光スラット６２は、その長手方向が採光領域６２Ａと透過領域６２Ｂとに二分された構成となっているが、区分される領域の数は２つに限らない。また、採光スラット６２の全面に採光領域６２Ａを設けても良い。採光スラット６２に、他の光学機能領域をさらに設けてもよい。つまり、採光スラット６２が、長手方向に複数に区分され、各領域に異なる光学機能が付与されていてもよい。
【０１５１】
［第７実施形態］
次に、本発明の第７実施形態の採光ロールスクリーン７０の構成について説明する。
図４４は、第７実施形態の採光ロールスクリーン７０の外観を示す斜視図である。
図４４に示すように、採光ロールスクリーン（採光装置）７０は、採光スクリーン（採光部材、スラット）７１と、採光スクリーン７１を巻き取り及び繰出し自在に支持する巻き取り機構（支持部材）７２と、を備えている。
【０１５２】
採光スクリーン７１は、光透過性を有する基材７３と、基材７３の第１面７３ａ側に形成された複数の採光部７８と、を備えている。複数の採光部７８は、基材７３の水平方向に沿う端辺（第１端辺）７３ｅに交差する端辺（第２端辺）７３ｃに対して上下方向に延在するとともに基材７３の幅方向に複数並んで設けられている。複数の採光部７８は、採光スクリーン７１の巻き取り方向に沿って延在している。
【０１５３】
巻き取り機構７２は、採光スクリーン７１の上端部に沿って取り付けられた巻き芯７４と、採光スクリーン７１の下端部に沿って取り付けられた昇降パイプ７５と、採光スクリーン７１の下端中央に取り付けられた引張りコード７６と、を備えている。
【０１５４】
巻き取り機構７２では、プルコード式として、採光スクリーン７１を下方へ引っ張り出した位置で固定させたり、固定を解除して上方へ収納したりすることが可能である。
採光スクリーン７１の固定を解除する場合には、引き出した位置からさらに引張りコード７６を引くことによって採光スクリーン７１の固定が解除されて、採光スクリーン７１を巻き芯７４に自動的に巻き取らせることができる。
【０１５５】
このような構成の採光ロールスクリーン７０は、窓ガラスの上部に巻き取り機構７２を取り付けた状態で使用される。本実施形態では、採光スクリーン７１の複数の採光部７８が窓ガラスとは反対の室内側に向くように、巻き取り機構７２にセットされているが、これに限らない。複数の採光部７８が窓ガラス１００３に対向するように、採光スクリーン７１が巻き取り機構７２にセットされていてもよい。
本実施形態の採光ロールスクリーン７０では、採光スクリーン７１の引き出し量によって採光領域の高さを調整することができる。
【０１５６】
図４５Ａ及び図４５Ｂは、第７実施形態における採光ロールスクリーン７０の使用時の様子を示す断面図であって、図４５Ａは全展開状態、図４５Ｂは一部展開状態を示す。
図４５Ａに示すように、採光スクリーン７１を全て引き出して窓ガラス１００３の殆どが覆われている状態では、窓ガラス１００３を通して室内に入射した光が、採光スクリーン７１の上下方向に延在する複数の採光部７８の各々において水平方向に屈折され、室内の左右方向に拡げられた状態で、室内の床１００２へ向かって射出される。
これにより、採光スクリーン７１によって、室内のプライバシーを確保しながら、室内を明るい環境にすることができる。
【０１５７】
図４５Ｂに示すように、採光スクリーン７１を一部引き出した状態では、窓ガラス１００３の上位に入射した光を室内の左右方向へ広げることができるとともに、採光スクリーン７１によって覆われていない窓ガラス１００３から屋外の眺望を確保することができる。
【０１５８】
このように、本実施形態の採光ロールスクリーン７０の構成によれば、採光状態と眺望状態とを適宜切り替えることができる。
【０１５９】
（変形例）
図４６Ａ及び図４６Ｂは、第７実施形態の変形例である採光ロールスクリーン７７の構成を使用時の様子を示す図であって、図４６Ａは全展開状態、図４６Ｂは一部展開状態を示す。
図４６Ａ及び図４６Ｂに示す採光ロールスクリーン７７は、窓の下部に設置して、採光スクリーン７１を上方へ引き出す構成であり、窓の上部に設置して採光スクリーン７１を下方へ引き出す上記構成とは異なっている。
本構成においても、巻き取り機構７２のプルコード機構によって、採光スクリーン７１を上方へ引っ張り出した位置で固定させたり、固定を解除して下方に収納したりすることが可能である。
【０１６０】
図４６Ａ及び図４６Ｂに示す採光ロールスクリーン７７は、窓の下部に設置された巻き取り機構７２から採光スクリーン７１を上方へ持ち上げた状態で保持する不図示の保持機構を有している。
【０１６１】
保持機構としては特に限定はないが、採光スクリーン７１あるいは昇降パイプ７５を昇降自在に保持することのできる構成であればよい。例えば、昇降コードを用いて天井側から採光スクリーン７１を昇降自在に吊り下げる構成としてもよい。あるいは、採光スクリーン７１の幅方向両側をレールで保持する構成としてもよい。この場合、採光スクリーン７１の幅方向両側に設けられた一対のレールのそれぞれに、プルコード機構によって任意の位置で固定された採光スクリーン７１の昇降パイプ７５の両端側をそれぞれ支持する凹部が形成されていてもよい。各レールの凹部内に昇降パイプ７５の両端側がそれぞれ挿入されることで、固定された採光スクリーン７１の平面姿勢を維持することができる。
【０１６２】
上記構成の採光ロールスクリーン７７によれば、窓ガラス１００３の下側を覆うように採光スクリーン７１を引き上げることによって、窓ガラス１００３の上側を開放させることができる。これにより、室内のプライバシーを確保しつつ、屋外の眺望性を確保することが可能である。また、窓の上部側を開口させておくことで、開放感を得ることができるとともに、窓ガラス１００３を開けたときに、自然な風を室内に採り入れることができる。
【０１６３】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【０１６４】
例えば、上述した各実施形態における採光装置を設置する窓の位置、大きさ等は、特に問わない。
上述したように、窓ガラスが鉛直姿勢で取り付けられた窓に採光装置を設置してもよいし、天窓、傾斜窓に採光装置を設置してもよい。このような窓に採光装置を設置する場合も、窓ガラスの内面に対して、採光装置の光入射面が平行するように設置される。
【産業上の利用可能性】
【０１６５】
本発明の一態様は、窓の向きに関わらず採光効果を得る必要があるとともに、取り外しや光学機能の切り替えが容易であることが必要な採光装置などに適用することができる。
【符号の説明】
【０１６６】
１０，２０，２０Ａ，２０Ｂ，２０Ｃ…採光装置、３０，４０，５０，６０…採光ブラインド（採光装置）、７０…採光ロールスクリーン（採光装置）、４Ａ，３３Ａ…第１部分、４Ｂ，３３Ｂ…第２部分、５…採光シート、８，１１Ａ，１８，２８，３３，６３，７３…基材、８ａ，１１ａ，３３ａ，６２ａ，６３ａ，７３ａ…第１面、１１…採光パネル（採光部材）、１１ｅ，３３ｅ，６３ｅ，７３ｅ…端辺（第１端辺）、１１ｃ，３３ｃ，６３ｃ，７３ｃ…端辺（第２端辺）、１２…フレーム（支持部材）、１４，３４，４２，７８…採光部、１４ａ…側面（反射面）、１４Ａ…第１の採光部、１４Ｂ…第２の採光部、１５，３５…空隙部、２２…光拡散部材、３１，３９，４１，５１，６２，３０１，３０２，３０３，３０４，３０５…採光スラット、３２…支持機構（支持部材）、３４Ａ…第１採光部、５２…反射面、７１…採光スクリーン、７２…巻き取り機構（支持部材）、Ｌ…中心軸（屈曲部分）、５５Ａ，６２Ａ，Ｒ２ａ，Ｒ２ｂ，Ｒ２ｃ，Ｒ２ｄ…採光領域、Ｒ１ａ，Ｒ１ｂ，Ｒ１ｃ，Ｒ１ｄ，Ｒ１ｅ…光拡散領域
【図１】
2018203503.tif 000003
【図２】
2018203503.tif 000004
【図３】
2018203503.tif 000005
【図４】
2018203503.tif 000006
【図５Ａ】
2018203503.tif 000007
【図５Ｂ】
2018203503.tif 000008
【図５Ｃ】
2018203503.tif 000009
【図５Ｄ】
2018203503.tif 000010
【図６】
2018203503.tif 000011
【図７】
2018203503.tif 000012
【図８】
2018203503.tif 000013
【図９】
2018203503.tif 000014
【図１０】
2018203503.tif 000015
【図１１】
2018203503.tif 000016
【図１２Ａ】
2018203503.tif 000017
【図１２Ｂ】
2018203503.tif 000018
【図１３】
2018203503.tif 000019
【図１４Ａ】
2018203503.tif 000020
【図１４Ｂ】
2018203503.tif 000021
【図１５】
2018203503.tif 000022
【図１６】
2018203503.tif 000023
【図１７Ａ】
2018203503.tif 000024
【図１７Ｂ】
2018203503.tif 000025
【図１８Ａ】
2018203503.tif 000026
【図１８Ｂ】
2018203503.tif 000027
【図１９Ａ】
2018203503.tif 000028
【図１９Ｂ】
2018203503.tif 000029
【図２０】
2018203503.tif 000030
【図２１Ａ】
2018203503.tif 000031
【図２１Ｂ】
2018203503.tif 000032
【図２２】
2018203503.tif 000033
【図２３】
2018203503.tif 000034
【図２４】
2018203503.tif 000035
【図２５】
2018203503.tif 000036
【図２６Ａ】
2018203503.tif 000037
【図２６Ｂ】
2018203503.tif 000038
【図２６Ｃ】
2018203503.tif 000039
【図２７】
2018203503.tif 000040
【図２８Ａ】
2018203503.tif 000041
【図２８Ｂ】
2018203503.tif 000042
【図２９】
2018203503.tif 000043
【図３０】
2018203503.tif 000044
【図３１】
2018203503.tif 000045
【図３２】
2018203503.tif 000046
【図３３】
2018203503.tif 000047
【図３４】
2018203503.tif 000048
【図３５】
2018203503.tif 000049
【図３６】
2018203503.tif 000050
【図３７】
2018203503.tif 000051
【図３８】
2018203503.tif 000052
【図３９】
2018203503.tif 000053
【図４０】
2018203503.tif 000054
【図４１】
2018203503.tif 000055
【図４２Ａ】
2018203503.tif 000056
【図４２Ｂ】
2018203503.tif 000057
【図４３Ａ】
2018203503.tif 000058
【図４３Ｂ】
2018203503.tif 000059
【図４４】
2018203503.tif 000060
【図４５Ａ】
2018203503.tif 000061
【図４５Ｂ】
2018203503.tif 000062
【図４６Ａ】
2018203503.tif 000063
【図４６Ｂ】
2018203503.tif 000064
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
室内に設置される採光装置であって、
少なくとも一部に光透過性を有した基材と、前記基材の第１面に設けられた光透過性を有する複数の採光部と、前記複数の採光部の間に設けられた空隙部と、を有する採光部材と、
前記採光部材を支持する支持部材と、を備え、
前記空隙部に接する採光部の側面の一部が、前記採光部に入射した光を反射する反射面として機能し、
前記採光部は、前記反射面で反射した光を前記採光部の延在方向に交差する方向へ分散して射出する特性を有してなり、
前記複数の採光部は上下方向に延在するとともに、前記基材の水平方向に沿う第１端辺に交差する第２端辺に対して−４５°以上＋４５°以下の角度で延在している、採光装置。
【請求項２】
前記複数の採光部は、前記第２端辺に平行している、請求項１に記載の採光装置。
【請求項３】
前記採光部材の光入射側あるいは光射出側のいずれかに設けられ、前記光を等方的あるいは異方的に拡散させる光拡散部材を備えている、請求項１または２に記載の採光装置。
【請求項４】
前記採光部材は、
前記基材の前記第２端辺に対して第１の角度で延在する複数の第１の採光部を有する第１採光領域と、前記基材の前記第２端辺に対して第２の角度で延在する複数の第２の採光部を有する第２採光領域と、を少なくとも有している、請求項１から３のいずれか一項に記載の採光装置。
【請求項５】
前記支持部材が前記採光部材の外周縁を支持する枠状のフレームであり、
前記採光部材の外周縁の一部に設けられた第１取付部と、前記外周縁のうち前記第１取付部に対して所定の角度回転させた位置に設けられた第２取付部と、を有する、請求項１から４のいずれか一項に記載の採光装置。
【請求項６】
一方向に延在する前記基材を有する複数のスラットと、
前記スラットの長手方向を水平方向に向けて前記複数のスラットを連結するとともに前記複数のスラットを上下方向に吊り下げる形態で支持する前記支持部材と、を備え、
前記基材の前記第２端辺が前記スラットの短手方向の端辺に沿う、請求項１から３のいずれか一項に記載の採光装置。
【請求項７】
前記スラットは、前記採光部材の長手方向に垂直な断面において屈曲もしくは湾曲した形状を有し、
前記スラットのうち屈曲部分を介して隣り合う第１部分及び第２部分の少なくとも一方側に前記複数の採光部を有している、請求項６に記載の採光装置。
【請求項８】
前記複数の採光部が前記第１部分から前記第２部分にかけて延在している、請求項６または７に記載の採光装置。
【請求項９】
前記スラットは、前記第１部分に複数の第１の採光部を有し、前記第２部分に前記第１の採光部の延在方向と交差する方向に延在する複数の第２の採光部を有している、請求項６または７に記載の採光装置。
【請求項１０】
前記スラットは、前記第１部分に前記複数の採光部を有し、前記第２部分に反射面を有している、請求項６または７に記載の採光装置。
【請求項１１】
一方向へ延在する前記基材を有する複数のスラットと、
前記複数のスラットの長手方向を上下方向に吊り下げる形態で支持する前記支持部材と、を備え、
前記基材の前記第２端辺が前記スラットの短手方向の端辺に沿う、請求項１から３のいずれか一項に記載の採光装置。
【請求項１２】
前記スラットは、長手方向に複数に区分され、区分された各領域に異なる光学機能が付与されている、請求項１１に記載の採光装置。
【請求項１３】
前記基材及び前記複数の採光部を有する採光スクリーンと、
前記採光スクリーンを上下方向へ巻き取り及び繰出し自在に支持する巻取機構と、を備え、
前記複数の採光部は、前記採光スクリーンの巻き取り及び繰出し方向に沿う端辺に対して、−４５°以上＋４５°以下の間の角度で延在している、請求項１から３のいずれか一項に記載の採光装置。
【国際調査報告】
2018203503.tif 000065
2018203503.tif 000066
2018203503.tif 000067